(57)【要約】【課題】きわめて小さいお灸点でのお灸を可能とし、厚紙などからなる台座シートを用いないため高温の熱刺激を与えるお灸を可能とし、かつ、低温やけどや水泡を来すやけど（いわゆる「水ぶくれ」）を作らず、お灸の痕が少ないお灸用シートを提供することを課題とする。【解決手段】粘着材と、保護シートと、シート部材から構成され、これら保護シートと粘着材とシート部材を同位置において貫通する口径０．５ｍｍから１．５ｍｍの大きさの穴を有するお灸用シートを提供する。【効果】お灸の痕を非常に狭い範囲に限定するとともに、そのお灸の痕がほとんど目立たないお灸を実現できる。お灸の効果も格段に向上する。【選択図】  図１
2005013246.tif 000002
【特許請求の範囲】
【請求項１】
身体に一時的に固定するための粘着材と、当該粘着材が施術前に他に粘着しないように保護する保護シートと、当該粘着材を介して反対側に配置されたシート部材から構成され、これら保護シートと粘着材とシート部材を同位置において貫通する口径０．５ｍｍから１．５ｍｍの大きさの穴を有するお灸用シート。
【請求項２】
上記お灸用シート上の上記貫通穴の上に、燃焼体を係合させて取り付けたお灸用シート。
【請求項３】
連続した保護シート上に２つ以上形成されていることを特徴とする請求項１に記載のお灸用シート。
【請求項４】
連続した保護シート上に２つ以上形成されていることを特徴とする請求項２に記載のお灸用シート。
【発明の詳細な説明】
【０００１】
【発明の属する技術分野】
本発明は、もぐさ等の燃焼体を使用するお灸治療具に関し、お灸痕がほとんど残らないお灸用シートに関する。
【０００２】
【従来の技術】
お灸治療具は、もぐさ等の燃焼体を燃焼させて、皮膚上の施灸部位（つぼ、経穴）に熱刺激を与え治療を行うものである。大きなお灸痕が残る、熱い、やけどをする等でお灸を家庭で行うことは比較的困難であり敬遠されてきていた。
近年、家庭においても、お灸の痕が少なく、熱さの少ないお灸治療が行えるように各種のお灸治療具が開発されている。このようなお灸治療具は、下面に粘着材を塗布した厚紙などからなる台座シートの上面に燃焼体を取り付けたもので、台座シートを施灸部位に貼り付けて、燃焼体を燃焼してその熱によってお灸を行うものである。
この方法では、厚紙などからなる台座シートを介するため肌に感じる温度は低い。この台座シートの厚みが比較的厚く、肌に対して間接的な熱刺激であるため、台座シートの蓄熱の影響を受けて、被施術者の体調、体温さらには周囲の気温、湿度等によっては被施術者が低温やけどや水泡を来すやけど（いわゆる「水ぶくれ」）を引き起こす可能性があった。肌の状態は、疲労、前日の水分摂取量、体のむくみ、風呂上り等のように非常に微妙な要素を持っておりその状態を的確に把握して対応するのはきわめて難しいものである。低温やけどや水泡を来すやけど（いわゆる「水ぶくれ」）を引き起こすと、その治療に時間がかかるだけでなく、治療終了後もやけど跡が長く残る可能性があった。
また、厚紙などからなる台座シートを介して、肌を加熱するため肌に作用する温度が低く、その結果お灸の効果が必ずしも満足のいくものではなく、何度も同じ施灸を行うことが必要となるなどの欠点もあった。
【０００３】
【発明が解決しようとする課題】
従来技術における以上のような問題点を解決するために、本発明は、きわめて小さいお灸点でのお灸を可能とし、厚紙などからなる台座シートを用いないため高温の熱刺激を与えるお灸を可能とし、かつ、低温やけどや水泡を来すやけど（いわゆる「水ぶくれ」）を作らず、お灸の痕が少ないお灸用シートを提供することを課題とする。
【０００４】
【課題を解決するための手段】
本発明は、身体に一時的に固定するための粘着材と、当該粘着材が施術前に他に粘着しないように保護する保護シートと、当該粘着材を介して反対側に配置されたシート部材から構成され、これら保護シートと粘着材とシート部材を同位置において貫通する口径０．５ｍｍから１．５ｍｍの大きさの穴を有するお灸用シートを提供するものである。このお灸用シートを利用する場合は、施術者あるいは被施術者自身が燃焼体を所望の大きさ・形状に整形して、お灸用シートの上に係合させて使用することになる。
【０００５】
他の発明は、上記お灸用シート上の上記貫通穴の上に、燃焼体を係合させて取り付けたお灸用シートである。このお灸用シートには予め燃焼体が取り付けられてあるため、施術者あるいは被施術者自身が燃焼体を所望の大きさ・形状に整形して、お灸用シートの上に係合させる必要がない。
【０００６】
他の発明は、連続した保護シート上に２つ以上形成されていることを特徴とするお灸用シートを提供するものである。予め燃焼体を取り付けたものと取り付けないものの二種類がある。
【０００７】
【発明の実施の形態】
本発明について図１から図３の実施例に従って詳細に説明する。図１は単品のお灸用シートでの実施例である。お灸用シート部材２の裏面には、お灸を行うときに身体の施灸部位に貼り付け固定させるためのお灸用シート固定用の粘着材３が薄く塗布されている。保護シート４は粘着材３が使用前に他へ付着するのを防止するため、粘着材３に貼り合わされている。施術の際には保護シート４は容易にとりはずすことができる。中央部付近には、約１ｍｍ程度の貫通穴１ａを設け、燃焼体５を固定する。
元来、お灸は施灸部位に対して、正確に位置規制を行って、所望の場所に、しかも高温の熱刺激を与える方法で施術することが理想的である。
貫通穴１ａの口径は燃焼体が肌に接する面積を規制するものであり、貫通穴１ａの寸法によって使用する燃焼材の大きさが決定される。お灸痕を最小限にするとともに、お灸の効果を十分に発揮する観点からは、貫通穴１ａの口径は１．０ｍｍ程度が望ましい。貫通穴１ａの口径は０．５ｍｍから１．５ｍｍの範囲の大きさであることが必要である。貫通穴１ａの口径が０．５ｍｍを下回ると燃焼体５から皮膚へ到達する温熱効果が不十分であり、十分な治療効果が期待できない。貫通穴１ａの口径が１．５ｍｍを上回ると、燃焼体５から皮膚へ到達する温熱効果が過大となり、皮膚の炭化が広範囲に及ぶことからお灸の痕が残る場合がある。
施灸後のお灸痕に関しては、貫通穴１ａの口径が０．５ｍｍから１．５ｍｍであると、お灸痕を小さく、しかも、直接皮膚にお灸を施術することができるため高温の熱刺激が可能となる。この結果、貫通穴１ａの直下の皮膚の上皮部分のみを局所的に加熱でき当該部部のみを局所的に炭化することができる。皮膚の上皮部分に形成される上記炭化は上記貫通穴１ａとほぼ同等の大きさである。直径約０．５ｍｍから１．５ｍｍ程度の上皮部分の炭化は、約１週間程度の時間経過によって炭化した上皮部分が剥離し完全に蘇生することができ、お灸痕はほとんど目立たない。
また、お灸用シート１の外形状は、本実施例では円形状としているが、三角形、四角形、六角形、あるいは八角形であっても良く、施灸部位への貼り付けの容易性等の取り扱い性を考慮して外形状で１０ｍｍから２０ｍｍ程度が望ましい。
【０００８】
お灸を施術する場合、１個のお灸のみを施術することはまれで通常は複数のお灸を同時に行うことが多い。このような場合に備えて、お灸用シート部材２を連続して形成した実施例について図２により説明する。図２のａ）は、連続したお灸用シート１の斜視図である。断面の構成は、図２のｂ）に示すが、前記の単品と同様な積層構成である。お灸用シート部材２の裏面には、お灸を行うときに体の施灸部位に貼り付け固定させるためのお灸用シート固定用の粘着材３が薄く塗布されており、その下方に、その粘着材３が他へ付着するのを防止するために保護シート４を貼り合わせて連続シートとして構成している。この連続シートを、お灸用シート１の外形に合わせて切り込みを施し、お灸用シート１中央部には、貫通穴１ａを施した構成としている。施灸の際は、この連続シート上で１ヶ毎に剥がして使用するようにしたものである。これらのお灸用シート１は、薄い紙材で構成されているために、厚紙等からなる台座を使用する従来の品と比較して、安価に製造できることになる。
【０００９】
次に、このお灸用シート１を使用した施灸の実施例を図３により説明する。図３ａ）は施灸の一例である。お灸用シート１から保護シート４を剥がし皮膚６の施灸部位に貼り付ける。貫通穴１ａ（図示ではＤ）に燃焼体５を係号取り付けして燃焼体５に点火して施灸を実施する。この場合に、お灸用シート部材２、粘着材３は非常に薄い材料であるため、燃焼体の温度は燃焼体自身に蓄積し、燃焼体の上部から下部へと順次伝わり、施灸点へ非常に小さなポイントとして直接作用し施灸される。特に、お灸用シート部材２は非常に薄いため、低温やけどや水泡を来すやけど（いわゆる「水ぶくれ」）を作らず、所望の施灸を達成できる。
【００１０】
お灸を施術するにあたっては、いかに高温の熱刺激を与えることができるか、いかに目的の施術ポイントに的確に施灸できるかが大きな課題である。
本発明にかかるお灸用シートを用いるお灸では、燃焼体をどのように係合させるかの処理も課題となる。燃焼体の実施例については、図３ｂ）に示す。燃焼体については全体の形状よりも、貫通穴１ａにいかにうまく係合できるかが重要であり、係合する部分の径Ｄがお灸痕の範囲に大きな影響を与えるものである。直接施灸部位の肌に接する、係合する部分の径Ｄを維持できれば図３ｂ）に示すように樽形、あるいは、逆円錐形も十分その働きを達成できるものである。
【００１１】
【発明の効果】
本発明のお灸用シートにおいては、０．５ｍｍから１．５ｍｍの非常に小さな口径の貫通穴に燃焼体を係合させお灸をすることによって、貫通穴の直下の皮膚の上皮部分のみを炭化させることができ、炭化した上皮部分は約１週間の時間経過において、ほぼ完全に蘇生することから、ほとんど目立たない状態にすることができ、お灸の痕を非常に狭い範囲に限定するとともに、そのお灸の痕がほとんど目立たないお灸を実現できる。
また、小さなお灸点において高温でお灸をすることが出来ることからお灸の効果も格段に向上する。
さらに、厚紙等からなる台座を使用しないため安価に製造することができる。
【図面の簡単な説明】
【図１】本発明の実施の形態に係わるお灸用シートの一実施例である。
【図２】本発明の実施の形態に係わる連続したお灸用シートの一実施例である。
【図３】本発明の実施の形態に係わるお灸用シートの使用状態と燃焼体の一実施例である。
【符号の説明】
１…お灸用シート
１ａ…貫通穴
２…お灸用シート部材
３…粘着材
４…保護シート
５…燃焼体
６…皮膚
【図１】
2005013246.tif 000003
【図２】
2005013246.tif 000004
【図３】
2005013246.tif 000005